(57)【要約】【課題】画像読取装置においては、原稿を読み取る為の読取条件の設定に際して、操作上の煩雑さを伴なったり、或いは設定時に種々の制約を受けるといった問題があった。【解決手段】原稿画像を読み取るための画像読取部１１と、原稿画像の読取条件を格納するメモリカード１５と通信可能に接続する記憶装置インタフェース部１４と、操作者による操作に応じて読み取り動作を指示する操作部１３と、操作部１３からの動作指示に基づいて、記憶装置インタフェース部１４を用いて、メモリカード１５から原稿画像の読取条件を取得し、取得した読取条件に基づいて原稿画像の読み取り動作を制御する主制御部１２とを備える。【選択図】図１
2007189500.tif 000002
【特許請求の範囲】
【請求項１】
原稿画像を読み取るための画像読取部と、
前記原稿画像の読取条件を格納する外部記憶装置と通信可能に接続するインタフェース部と、
操作者による操作に応じて読み取り動作を指示する操作部と、
前記操作部からの動作指示に基づいて、前記インタフェース部を用いて、前記外部記憶装置から前記原稿画像の読取条件を取得し、取得した読取条件に基づいて前記原稿画像の読み取り動作を制御する制御部と
を有することを特徴とする画像読取装置。
【請求項２】
初期の読取条件を保存するための初期条件保存部と、
前記外部記憶装置が接続されたことを検出する検出部と
を更に備え、
前記制御部が、前記外部記憶装置が接続されていない場合、前記初期条件保存部に格納された読取条件に基づいて原稿画像の読み取りを制御する
ことを特徴とする請求項１記載の画像読取装置。
【請求項３】
前記外部記憶装置は、前記原稿画像の読取条件の他に読取条件を変更するか否かを指示する変更指示データを格納し、
前記制御部は、前記外部記憶装置が接続され、読取条件の変更が指示されている場合、前記外部記憶装置から取得した読取条件に基づいて前記原稿画像の読み取りを制御すると共に、前記初期条件保存部の読取条件を前記外部記憶装置から取得した読取条件に変更することを特徴とする請求項２記載の画像読取装置。
【請求項４】
前記原稿から読み取った画像データを前記外部記憶装置に格納するように指示するための操作キーを更に備えたことを特徴とする請求項３記載の画像読取装置。
【発明の詳細な説明】
【技術分野】
【０００１】
本発明は、原稿画像を電子データとして読み取る画像読取装置に関するものである。
【背景技術】
【０００２】
従来、スキャナ装置やファクシミリ装置などの画像読取装置は、原稿をセットした後、原稿画像の状態や品質に応じて操作盤から読取条件（例えば、読取濃度や解像度など）を設定してから読み取りを行わないと、所望の読取画像品質が得られなかった。この読取条件の入力に伴う煩雑さを軽減するため、原稿のセット(載置）位置に応じて予め設定された読取条件を選んで読み取りを行うものがあった（例えば、特許文献１参照）。
【０００３】
【特許文献１】特開２００５―１５９７６６号公報（第５頁、図２）
【発明の開示】
【発明が解決しようとする課題】
【０００４】
しかしながら、上記構成の装置では、原稿の載置位置のバリエーションが限られており、多様な原稿を読み取る為の自由度が低いという問題があった。本発明の目的は、これらの問題点を解決し、読取条件の設定に際して、操作上の煩雑さを感じることなく、更に設定時に種々の制約を受けることのない画像読取装置を提供することにある。
【課題を解決するための手段】
【０００５】
本発明の画像読取装置は、
原稿画像を読み取るための画像読取部と、前記原稿画像の読取条件を格納する外部記憶装置と通信可能に接続するインタフェース部と、操作者による操作に応じて読み取り動作を指示する操作部と、前記操作部からの動作指示に基づいて、前記インタフェース部を用いて、前記外部記憶装置から前記原稿画像の読取条件を取得し、取得した読取条件に基づいて前記原稿画像の読み取り動作を制御する制御部と
を有することを特徴とする。
【発明の効果】
【０００６】
原稿の画像を読み取る際の読取条件を、外部記憶装置から取得できるので、読取条件設定のための操作上の煩雑さを解消することができる。
【発明を実施するための最良の形態】
【０００７】
実施の形態１．
図１は、本発明による画像読取装置の実施の形態１の要部構成を概略的に示すブロック図である。
【０００８】
同図に示すように、画像読取装置１０は、例えばスキャナとしての構成を備え、画像読取部１１、主制御部１２、操作部１３、及び記憶装置インタフェース部１４で構成され、主制御部１２と操作部１３とは制御線１８で接続され、画像読取部１１、主制御部１２、及び記憶装置インタフェース部１４が互いにデータバス１６及び制御バス１７で接続され、外部記憶装置であるメモリカード１５が接続可能に構成されている。
【０００９】
図２は、画像読取部１１の要部構成を概略的に示す概略図である。
同図に示すように、画像読取部１１は、密着イメージセンサ２４、センサ駆動用ステッピングモータ２６、読取制御部２１、画像処理部２２、及び駆動ベルト２５で構成され、読取制御部２１は、データバス１６と制御バス１７で主制御部１２に接続されている。センサ駆動用ステッピングモータ２６は、読取制御部２１に接続され、密着イメージセンサ２４は画像処理部２２に接続されている。
【００１０】
密着イメージセンサ２４は、原稿に光を照射するための光源と、原稿から反射した光の光量に応じて電圧に変換するための光電変換素子であるＣＣＤセンサとを備えており、駆動ベルト２５に固定されている。従って、センサ駆動用ステッピングモータ２６が回転すると、駆動ベルト２５の動作に伴って密着イメージセンサ２４も移動し、原稿２３を全面にわたって読み取ることができる。
【００１１】
読取制御部２１は、制御バス１７から所定の読取の起動と読取条件が指示されると、センサ駆動用ステッピングモータ２６を回転させ、画像処理部２２に読取条件を設定して画像処理の起動を指示する。画像処理部２２は、密着イメージセンサ２４に制御用の信号を与えると共に、光電変換された画像信号を受け取り、この画像信号に対して、シェーディング補正、ガンマ補正、各種フィルタ処理、色変換、階調処理、拡大縮小処理などを行って、原稿画像データとして読取制御部２１に与える。読取制御部２１は、データバス１６を通じ、得られた原稿画像データを外部に送出する。
【００１２】
図３は、操作部１３の要部構成を概略的に示す概略図である。
同図に示すように、操作部１３は、ユーザヘの情報等を表示するための表示装置３１、動作の起動を指示するためのキーであるスタートキー３３、及び動作を停止させるためのストップキー３２で構成されている。尚、表示装置としては、例えば、所要とする情報が表示で可能であれば液晶表示装置などでも良く、更には、タッチパネル等を備え、表示装置３１、スタートキー３３及びストップキー３２が一体化した構成のものであってもよい。
【００１３】
図４は、主制御部１２の要部構成を概略的に示すブロック図である。
同図に示すように、主制御部１２は、プログラムが格納されているＲＯＭ（Ｒｅａｄ  Ｏｎｌｙ  Ｍｅｍｏｒｙ）４２、処理を行う上で一時的にデータが格納されるＲＡＭ（Ｒａｎｄｏｍ  Ａｃｃｅｓｓ  Ｍｅｍｏｒｙ）４３、及びＣＰＵ(中央演算処理装置)４１とで構成され、それぞれが、制御バス１７及びデータバス１６で互いに接続されている。ＣＰＵ４１は、操作部１３（図１）から動作起動を受け付け、或いは表示データを送出するための信号線１８で外部と接続される。またＣＰＵ４１は、ＲＯＭ４２からプログラムコードを読み出し、必要な一時データをＲＡＭ４３に格納しながらプログラムを実行し、画像読取装置１０の全体を制御する。
【００１４】
図５は、記憶装置インタフェース部１４の要部構成を概略的に示す概略図である。
同図に示すように、メモリカード１５のスロット４６は、外部記憶装置であるメモリカード１５が接続可能に構成されており、メモリインタフェース４７を通して、データバス１６と制御バス１７に接続されている。スロット４６にメモリカード１５が接続され、メモリインタフェース４７により、メモリカード１５とのデータの送受信が可能となる。
【００１５】
尚、本実施の形態では、外部記憶装置として用いるメモリカード１５はフラッシュメモリを内蔵したものを用いるものとして説明するが、書き換え可能で不揮発性のメモリを内蔵するもの、または、電池によりバックアップされた揮発性のメモリを内蔵するものであればメモリカードの種類は問わない。また、外部記憶装置としてはＨＤＤ（磁気ディスク装置）のような着脱可能な記憶装置としてもよい。
【００１６】
以上の構成において、画像読取装置１０の動作について説明する。
前準備として、図示しないパーソナルコンピュータなどの、メモリカード１５ヘの書き込みが可能な外部装置を用い、メモリカード１５に所要とする読取条件を書き込んでおく。このとき、パーソナルコンピュータ上には、例えば、画像読取装置１０へ設定可能な読取条件と同等な条件を選択的に設定でき、設定された読取条件をメモリカード１５に書き込むことができるアプリケーションを用意しておくものとする。
【００１７】
図６は、メモリカード１５に用意される読取条件の各内容を示す説明図である。
同図（ａ）に示すように、あらかじめ読取条件に応じて条件の記載位置とデータ長を取り決めておく。例えば、同図に示すように、条件設定ファイルの先頭から、読み取り画像解像度設４ｂｙｔｅ、読み取り色モード設定１ｂｙｔｅ、原稿タイプ設定１ｂｙｔｅ、濃度設定１ｂｙｔｅ、シャープネス設定１ｂｙｔｅ、そして圧縮設定１ｂｙｔｅの取り決めで格納されている。
【００１８】
また、メモリカード１５に書き込む際、パーソナルコンピュータ上でのファイルの可搬性を保つために、同図（ｂ）に示すように、改行文字コードで読取条件の項目を区切ったテキスト形式ファイルに読取条件を記載してもよい。その際、主制御部１２は、ＲＯＭ４２上に読取条件の項目のテキスト文字コードを保存しておき、取得したデータを改行文字コード単位でデータに切り出し、切り出されたデータから項目テキストを検索して条件の抽出を行って、テキストファイル中の読取条件の取得を行ってもよい。
【００１９】
ユーザにより、画像データとして読み取りたい原稿２３が画像読取装置１１（図２）に載せられ、次に、所要とする読取条件を予め書き込んだメモリカード１５を、記憶装置インタフェース部１４に接続する。次に、画像読み取りを起動させるために、操作部１３（図３）に配置されているスタートキー３３を押す。操作部１３は、スタートキー３３が押されると、読取動作の起動を主制御部１２（図１）に通知する。主制御部１２は、スタートキー３３が押されて、読み取りの起動が通知されると、記憶装置インタフェース部１４に読取条件のデータ読み出しを指示する。
【００２０】
記憶装置インタフェース部１４は、接続されたメモリカード１５から、読取条件データを読み出し、主制御部１２にデータを送る。主制御部１２は、取得した読取条件データから、予め決められた設定の順番で、解像度、色、原稿タイプ、シャープネスなどの読取条件を取り出し、取り出した読取条件を画像読取部１１の読取制御部２１（図２）に設定すると共に、読取動作の開始を指示する。
【００２１】
図２において、読取制御部２１は、画像処理部２２に、設定された読取条件に応じた画像処理の設定を行って起動の指示を受け付けると、設定された読取条件に基づいてセンサ駆動用ステッピングモータ２６を回転させると共に、画像処理部２２に読取を開始させる。原稿２３は、密着イメージセンサ２４が駆動ベルト２５によって搬送されることで全面に渡って走査され、時系列に原稿の濃度に応じた出力が密着イメージセンサ２４から取り出される。画像処理部２２は、時系列に取り出された画像信号に対して設定された画像処理を順次行って所要とする画像データに変換し、読取制御部２１に画像データとして転送する。
【００２２】
読取制御部２１は、画像処理部２２から受け取った画像データを、データバス１６を通じて主制御部１２に転送する。主制御部１２は、画像読取部１１に起動をかけた後、画像読取部１１から読み取られた画像データを受け取り始めると、記憶装置インタフェース部１４に画像データの格納を指示し、記憶装置インタフェース部１４に画像データを転送する。記憶装置インタフェース部１４は、転送された画像データを記憶装置インタフェース部１４に接続されたメモリカード１５又はその他の記憶装置に格納する。画像の読取制御部２１（図２）は、所定の原稿の長さまで密着イメージセンサ２４を移動させ、原稿の全面の読み取りを完了する。
【００２３】
以上説明したように、ユーザは、メモリカードに格納された所要の読取条件に基づいて原稿の読み取り動作を行ない、読み取った画像データを着脱可能に接続されたメモリカード又はその他の記憶装置に格納できる。
【００２４】
以上のように、本実施の形態の画像読取装置１０によれば、メモリカード１５を接続することで読取条件の設定が不要となるため、ユーザは、例えばバーコード形式の設定用紙の様な条件設定媒体を準備し、読み取り動作毎に読み込ませる等の煩雑な条件設定作業を行うことなく、所要とする読取条件で読み取り動作を行うことができる。
【００２５】
実施の形態２．
図７は、本発明による画像読取装置の実施の形態２の要部構成を概略的に示すブロック図である。尚、前記した実施の形態１の画像読取装置と共通する部分には同符号を付してある。
【００２６】
同図に示すように、画像読取装置５０は、例えばスキャナとしの構成を備え、画像読取部１１、主制御部５２、操作部５３、記憶装置インタフェース部５４、及び外部通信制御部５９で構成され、主制御部５２と操作部５３とは制御線５８で接続され、画像読取部１１、主制御部５２、記憶装置インタフェース部５４、及び外部通信制御部５９が互いにデータバス５６と制御バス５７で接続され、前記した実施の形態１と同様に、外部記憶装置であるメモリカード１５が接続可能に構成されている。
【００２７】
主制御部５２は、不揮発性のメモリであるフラッシュＲＯＭ（Ｆｌａｓｈ  Ｒｅａｄ  Ｏｎｌｙ  Ｍｅｍｏｒｙ）６０を含み、記憶装置インタフェース部５４は、外部記憶装置が接続されたことを検出する検出部６１を備える。外部通信制御部５９は、本画像読取装置で読み取られた画像データを、パーソナルコンピュータや、プリンタ装置、ネットワークなどの図示しない外部機器へ送信する為のものある。本実施の形態において外部通信制御部５９は、一般的なＵＳＢ（Ｕｎｉｖｅｒｓａｌ  Ｓｅｒｉａｌ  Ｂｕｓ）コントローラを使用する事とし、ＵＳＢ線６２で外部に接続されている。  
【００２８】
画像読取部１１は、前記した実施の形態１で説明した通りの構成を有するものであるため、ここでの詳細な説明は省略する。
【００２９】
図８は、操作部５３の要部構成を概略的に示す概略図である。
同図に示すように、操作部５３は、ユーザヘの情報等を表示するための表示装置３１と、動作の起動を指示するためのキーであるスタートキー３３、動作を停止させるためのストップキー３２、及び後述するように、接続された外部記憶装置としてのメモリカード１５に、読み取った画像を格納するように指示する為のメモリスキャンキー３４で構成されている。
【００３０】
図９は、主制御部５２の要部構成を概略的に示すブロック図である。
同図に示すように、主制御部５２は、プログラムが格納されているＲＯＭ７２、処理を行う上で一時的にデータが格納されるＲＡＭ７３、ＣＰＵ７１、及びデータの格納と読み出しが自在である不揮発性のフラッシュＲＯＭ６０とで構成され、それぞれが、制御バス５７及びデータバス５６で互いに接続されている。またＣＰＵ７１は、操作部５３（図７）から動作起動を受け付け、或いは表示データを送出するための信号線５８で外部と接続される。ＣＰＵ７１は、ＲＯＭ７２からプログラムコードを読み出し、必要な一時データをＲＡＭ７３に格納しながらプログラムを実行し、画像読取装置５０の全体を制御する。フラッシュＲＯＭ６０は、後述するように画像読取装置５０の読取条件の初期値を格納する為に使用され、予め標準的な読取条件を格納している。
【００３１】
尚、本実施の形態では、プログラムコードを格納するＲＯＭ７２と読取条件を格納するフラッシュＲＯＭ６０とを別個に構成したが、フラッシュＲＯＭ６０にプログラムコードを格納する様にしてもよい。
【００３２】
図１０は、記憶装置インタフェース部５４の要部構成を概略的に示す概略図である。
同図に示すように、メモリカード１５のスロット８１は、外部記憶装置であるメモリカード１５が接続可能に構成されており、メモリインタフェース８２を通して、データバス５６と、制御バス５７に接続されている。スロット８１は、メモリカード１５が接続されたことを検出する検出スイッチ８３を備えている。スロット８１にメモリカード１５が接続されると、検出スイッチ８３がオンとなって接続されたことを検出できると共に、メモリインタフェース８２により、メモリカード１５とのデータの送受信が可能となる。
【００３３】
尚、本実施の形態では、外部記憶装置として用いるメモリカード１５はフラッシュメモリを内蔵したものを用いるものとして説明するが、書き換え可能で不揮発性のメモリを内蔵するもの、または、電池によりバックアップされた揮発性のメモリを内蔵するものであればメモリカードの種類は問わない。また、外部記憶装置としてはＨＤＤ（磁気ディスク装置）のような着脱可能な記憶装置としてもよい。
【００３４】
以上の構成において、先ず、画像読取装置５０の、メモリカード１５を用いない場合の読取動作について説明する。
【００３５】
ユーザは、画像データとして読み取りたい原稿２３を画像読取装置１１（図２）に載せ、メモリカード１５を記憶装置インタフェース部５４に接続せず、画像読み取りを起動させるために操作部５３（図８）に配置されているスタートキー３３を押す。操作部１３は、スタートキー３３が押されると、読取動作の起動を主制御部５２に通知する。
【００３６】
主制御部５２は、スタートキー３３が押されて読み取りの起動が通知されると、記憶装置インタフェース部５４の検出部６１を検査し、メモリカード１５が接続されているか否かを検査する。検出部６１は、検出スイッチ８３（図１０）の状態から、メモリカード１５が接続されていない事を検出し、主制御部５２に通知する。主制御部５２は、検出部６１からメモリカード１５が接続されていない旨の通知を受けると、フラッシュＲＯＭ６０に予め格納されている読取条件データを読み出し、画像読取部１１の読取制御部２１（図２）に設定し読取動作の開始を指示する。
【００３７】
図２において、読取制御部２１は、画像処理部２２に、設定された読取条件に応じた画像処理の設定を行なって起動の指示を受け付けると、原稿の読み取りを起動し、データバス１６を通じて、主制御部５２に画像処理した画像データを転送する。尚、この時の画像読取部１１の動作は、前記した実施の形態１で説明した通りであるため、ここでの説明は省略する。
【００３８】
主制御部５２は、画像データを受け取ると、外部通信制御部５９に画像データの送信を指示すると共に画像データを転送し、外部通信制御部５９は、ＵＳＢの通信手順に則って、外部機器に対して画像データを送信する。画像の読取制御部２１（図２）は、所定の原稿の長さまで密着イメージセンサ２４を移動させて原稿の全面の読み取りを完了させ、外部通信制御部５９は、読み取られた画像データの外部機器への送信を完了させる。
【００３９】
次に、画像読取装置５０の、メモリカード１５を用いる場合の読取動作について説明する。
【００４０】
前準備として、図示しないパーソナルコンピュータなどの、メモリカード１５への書き込み可能な外部装置を用い、メモリカード１５に所要とする読取条件と後述する初期値の変更指示データを書き込んでおく。このとき、パーソナルコンピュータ上には、例えば、画像読取装置５０へ設定可能な読取条件と同等な条件を選択的に設定でき、設定された読取条件をメモリカード１５に書き込むことができ、且つ初期値の変更指示データを書き込むことができるアプリケーションを用意しておくものとする。
【００４１】
図１１は、本実施の形態において、メモリカード１５に用意される読取条件の各内容を示す説明図である。
同図（ａ）に示すように、あらかじめ読取条件と初期値の変更指示データに応じて条件の記載位置とデータ長を取り決めておく。例えば、同図に示すように、条件設定ファイルの先頭から、読み取り画像解像度設定４ｂｙｔｅ、読み取り色モード設定１ｂｙｔｅ、原稿タイプ設定１ｂｙｔｅ、濃度設定１ｂｙｔｅ、シャープネス設定１ｂｙｔｅ、圧縮設定１ｂｙｔｅ、そして初期値変更指示１ｂｙｔｅの取り決めで格納されている。
【００４２】
また、メモリカード１５に書き込む際、パーソナルコンピュータ上でのファイルの可搬性を保つために、同図（ｂ）に示すように、改行文字コードで読取条件の項目を区切ったテキスト形式ファイルに読取条件を記載してもよい。その際、主制御部５２は、ＲＯＭ７２上に読取条件の項目のテキスト文字コードを保存しておき、取得したデータを改行文字コード単位でデータに切り出し、切り出されたデータから項目テキストを検索して条件の抽出を行って、テキストファイル中の読取条件の取得を行ってもよい。
【００４３】
ユーザは、画像データとして読み取りたい原稿２３を画像読取部１１（図２）に載せ、次に、所要とする読取条件と初期値変更指示を予め書き込んだメモリカード１５を、記憶装置インタフェース部５４に接続する。次に、画像読み取りを起動させるために、操作部５３（図８）に配置されているスタートキー３３を押す。操作部１３は、スタートキー３３が押されると、読取動作の起動を主制御部５２に通知する。
【００４４】
主制御部５２は、スタートキー３３が押されて読み取りの起動を通知されると、記憶装置インタフェース部５４の検出部６１を検査し、メモリカード１５が接続されているか否かを検査する。検出部６１は、検出スイッチ８３（図１０）の状態から、メモリカード１５が接続されている事を検出し、主制御部５２に通知する。主制御部５２は、検出部６１からメモリカード１５が接続されている旨の通知を受けると、記憶装置インタフェース部５４に初期値変更指示データの読み出しを指示し、初期値変更指示データを取り出す。
【００４５】
この時、主制御部５２は、初期値変更指示データにおいて初期値設定変更指示がなかった場合、前記したメモリカード１５を使用しない場合と同様に、フラッシュＲＯＭ６０内の初期値を読み出して読取動作を完了する。このときの読取動作については、前記したメモリカード１５を用いない場合の読取動作と同じなので、ここでの説明は省略する。
【００４６】
一方、初期値変更指示データにおいて初期値設定変更指示があった場合、主制御部５２は、記憶装置インタフェース部５４に読取条件データの読み出しを指示して読取条件データを取得し、ＲＡＭ７３（図９）に一且データを格納する。主制御部５２は、取得した読取条件データから、予め決められた設定の順番で、解像度、色、原稿タイプ、シャープネスなどの読取条件を取り出すと共に、画像読取部１１の読取制御部２１（図２）に読取条件を設定し、読取動作を起動する。  
【００４７】
図２において、読取制御部２１は、画像処理部２２に、設定された読取条件に応じた画像処理の設定を行なって起動の指示を受け付けると、原稿の読み取りを起動し、データバス１６を通じて、主制御部５２に画像処理した画像データを転送する。尚、この時の画像読取部１１の動作は、前記した実施の形態１で説明した通りであるため、ここでの説明は省略する。
【００４８】
主制御部５２は、画像データを受け取ると、外部通信制御部５９に画像データの送信を指示すると共に画像データを転送し、外部通信制御部５９は、ＵＳＢの通信手順に則って、外部機器に対して画像データを送信する。画像の読取制御部２１（図２）は、所定の原稿の長さまで密着イメージセンサ２４を移動させて原稿の全面の読み取りを完了させ、外部通信制御部５９は、読み取られた画像データの外部機器への送信を完了させる。
【００４９】
主制御部５２は、以上のように初期値設定変更が指示されていた場合、原稿画像の読み取りと画像データの送信が完了すると、ＲＡＭ７３から読取条件データを取り出し、フラッシュＲＯＭ６０に初期条件として取り出した読取条件を格納して処理を完了する。
【００５０】
一方、操作部５３のメモリスキャンキー３４が押されると、主制御部５２は、初期値変更指示データの指示に従って読み出した画像データを、記憶装置インタフェース部５４に接続されたメモリカード１５又はその他の記憶装置に直接格納するように動作する。
【００５１】
以上説明したように、ユーザは、初期値としての読取条件を変更したい場合、メモリカード等の外部記憶装置から読取条件の変更を指示することができる。また変更の必要がないときは、メモリカードを接続することなく、初期値として格納された読取条件で所要とする画像データを読み出し、メモリカード等の外部記憶装置、或いは外部機器に送信することができる。
【００５２】
以上のように、本実施の形態の画像読取装置によれば、読取条件が初期値として保存され、且つメモリカード等の外部記憶装置から初期値の読取条件の変更を指示することができる。このため、ユーザは、初期値としての読取条件を変更したい場合、メモリカード等の外部記憶装置から読取条件の変更を指示し、変更の必要がないときは、メモリカードを接続することなく、初期値として格納された読取条件で所要とする画像データを読み出すことができるため、読取動作を簡便に行う事ができる。更に、画像データの、外部への通信と、外部記憶装置としてのメモリカードへの格納とを、キ一操作で選択可能としたので、外部への画像データの通信時の読取条件と、外部記憶装置への画像データの格納時の読取条件とを個別に持つことができ、ユーザは複数の読取条件を簡便に扱うことができる。
【００５３】
尚、各実施の形態では、接続可能な記憶装置としてメモリカードで例を示したが、不揮発の書き換え可能に構成される記憶装置であればよく、ＨＤＤでも適応が可能である。また、前記した実施の形態２では、メモリカードの接続検出にスイッチ機構を用いたが、電圧検出、固定データリードの結果による検出方法を用いてもよいなど、種々の態様を取り得るものである。
【図面の簡単な説明】
【００５４】
【図１】本発明による画像読取装置の実施の形態１の要部構成を概略的に示すブロック図である。
【図２】画像読取部の要部構成を概略的に示す概略図である。
【図３】実施の形態１の操作部の要部構成を概略的に示す概略図である。
【図４】実施の形態１の主制御部の要部構成を概略的に示すブロック図である。
【図５】実施の形態１の記憶装置インタフェース部の要部構成を概略的に示す概略図である。
【図６】（ａ）、（ｂ）は実施の形態１のメモリカードに用意される読取条件の各内容を説明するための説明図である。
【図７】本発明による画像読取装置の実施の形態２の要部構成を概略的に示すブロック図である。
【図８】実施の形態２の操作部の要部構成を概略的に示す概略図である。
【図９】実施の形態２の主制御部の要部構成を概略的に示すブロック図である。
【図１０】実施の形態２の記憶装置インタフェース部の要部構成を概略的に示す概略図である。
【図１１】（ａ）、（ｂ）は実施の形態２のメモリカードに用意される読取条件の各内容を説明するための説明図である。
【符号の説明】
【００５５】
１０，５０  画像読取装置、
１１  画像読取部、
１２，５２  主制御部、
１３，５３  操作部、
１４，５４  記憶装置インタフェース部、
１５  メモリカード、
１６，５６  データバス、
１７，５７  制御バス、
１８，５８  制御線、
２１  読取制御部、
２２  画像処理部、
２３  原稿、
２４  密着イメージセンサ、
２５  駆動ベルト、
２６  センサ駆動用ステッピングモータ、
３１  表示装置、
３２  ストップキー、
３３  スタートキー、
３４  メモリスキャンキー、
４１，７１  ＣＰＵ、
４２，７２  ＲＯＭ、
４３，７３  ＲＡＭ、
４６，８１  スロット、
４７，８２  メモリインタフェース、
５３  操作部、
５４  記憶装置インタフェース部、
５９  外部通信制御部、
６０  フラッシュＲＯＭ、
６１  検出部、
６２  ＵＳＢ線、
８３  検出スイッチ。
【図１】
2007189500.tif 000003
【図２】
2007189500.tif 000004
【図３】
2007189500.tif 000005
【図４】
2007189500.tif 000006
【図５】
2007189500.tif 000007
【図６】
2007189500.tif 000008
【図７】
2007189500.tif 000009
【図８】
2007189500.tif 000010
【図９】
2007189500.tif 000011
【図１０】
2007189500.tif 000012
【図１１】
2007189500.tif 000013